(57)【特許請求の範囲】
【請求項１】
複数アングルの映像が符号化画像データとして記録されている記録媒体から、上記複数アングルの上記符号化画像データを読み出す読み出し手段と、
上記読み出し手段で読み出した上記符号化画像データを記憶する複数個の記憶手段と、
上記複数個の記憶手段から出力された上記符号化画像データを交互に取り込むデマルチプレクサと、
上記デマルチプレクサに取り込まれた上記複数アングルの符号化画像データが符号化単位毎に切り換えられて入力され、入力された符号化画像データを復号して復号画像データを生成する復号手段と
を備える信号再生装置。
【請求項２】
上記デマルチプレクサ及び復号手段は、１つのアングルの映像分を読み込んで行った場合の復号処理の複数倍のデータ処理速度を有する請求項１記載の信号再生装置。
【請求項３】
複数アングルの映像が符号化画像データとして記録されている記録媒体から、複数種類の上記符号化画像データを読み出す読み出し工程と、
上記読み出し工程で読み出した上記符号化画像データを複数個の記憶手段に記憶する複数段の記憶工程と、
上記複数段の記憶工程から出力された上記符号化画像データをデマルチプレクサにより交互に取り込む工程と、
上記デマルチプレクサに取り込まれた上記複数アングルの符号化画像データが符号化単位毎に切り換えられて入力され、入力された符号化画像データを復号して復号画像データを生成する復号工程と
を有する信号再生方法。
【発明の詳細な説明】
【技術分野】
【０００１】
本発明は、動画像を構成する符号化画像データを復号して動画像を再生する信号再生装置及び方法に関し、特に同一の属性を有する複数の動画像を再生する信号再生装置及び方法に関する。
【背景技術】
【０００２】
光ディスクに共通する特徴として、ランダムアクセスすることが挙げられる。光ディスクであるＤＶＤ（ディジタルビデオディスク：ＤＶＤ−ＶＩＤＥＯ）は、この特徴を生かし、マルチアングル機能やマルチストーリー機能などが盛り込まれている。
【０００３】
上記マルチアングル機能は、複数の異なるカメラアングルから同時に撮影した映像を再生する機能であって、例えば一の映像に対して複数のアングルの映像を再生可能にする機能である。
【０００４】
ＤＶＤは、上記複数のアングルを選択再生可能にするデータをアングルブロックとして構成している。アングルブロックは、各アングルの映像データを細切れにして、形成されるもので、ＤＶＤでは、いわゆるインターリーブ構造を採用して、各アングルブロックを混ぜて信号記録面に記録している。ＤＶＤは、このようなデータの記録構造を採用することで、上記マルチアングル機能及びマルチストーリ機能を実現させている。
【０００５】
ＤＶＤ再生装置は、例えば、上述のようなＤＶＤを再生して、再生中にみたいアングルの映像にリアルタイムで切り換えて再生することができる。
【０００６】
なお、上記アングルブロックには、２種類あり、同時進行の映像が切り換えされた際に、切れ目なく、すなわちシームレス、に他のアングルにつなぎ合わせることが可能なアングルブロック（以下、ＳＭＬ＿ＡＧ＿ＢＬＫという。）と、それ以外のアングルブロック、つまりノンシームレスでしかアングルを切り換えできないアングルブロック（以下、ＮＳＭＬ＿ＡＧＬ＿ＢＬＫという。）とがある。
【０００７】
従来技術として、特許文献１が知られている。
【０００８】
【特許文献１】国際公開第９５／１２１９７号パンフレット
【発明の開示】
【発明が解決しようとする課題】
【０００９】
ところで、上記ＳＭＬ＿ＡＧ＿ＢＬＫの再生を行った場合、上記ＤＶＤ再生装置は、シームレスにアングルを切り換えることはできるが、アングルを切り換えようとしてから切り替わるまで、約数秒の時間を要してしまう。つまり、上記ＤＶＤ再生装置は、アングルを切り換えようとした瞬間の別のアングルの再生ができないことになる。よって、視聴者は、他のアングルの映像を見たいときに切り換えても、その切り換えた瞬間の当該他のアングルの映像を見ることはできず、みたい映像を見逃してしまう。
【００１０】
さらに、上記ＳＭＬ＿ＡＧ＿ＢＬＫの再生では、アングルを切り換えは、約数秒に１回に限られている。そして、全てのアングルにおいて、オーディオデータ及び字幕情報等からなる副映像データは、再生されるアングルの映像に係るものに限ってエンコードされている。
【００１１】
また、上記ＮＳＭＬ＿ＡＧ＿ＢＬＫの再生を行った場合、上記ＤＶＤ再生装置は、アングルを切り換えようとしたときに一旦再生を中止してから、別のアングルに切り替えて再生を再開しなければならない。このように各アングルがスムーズにつながらない映像は視聴者にとって見ずらいものとなる。
【００１２】
なお、上記ＮＳＭＬ＿ＡＧ＿ＢＬＫの再生では、アングルを切り換えようとした瞬間の別のアングルを再生することはできる。また、アングルを切り換えることが可能な場所も上記ＳＭＬ＿ＡＧ＿ＢＬＫより一般的に多い。さらに、他のアングルの映像に切り換えても、当該他のアングルの映像とは別のオーディオデータや副映像データをデコードすることができる。
【００１３】
上記ＮＳＭＬ＿ＡＧ＿ＢＬＫ及びＮＳＭＬ＿ＡＧ＿ＢＬＫの再生を行った場合、ＤＶＤ再生装置は、アングルを切り換えることができたとしても、シームレス且つ瞬時にアングルを切り換えることはできない。
【００１４】
また、例えば、同時に各アングルの映像表示を視聴者に提供できれば、各アングル映像を常に確認することができ、上述のように各アングルの切り換えによる映像の見逃し、見づらさを解消することができる。よって、複数のアングルの映像を同時に表示することを可能にする装置の提供も望まれる。
【００１５】
そこで、本発明は、上述の実情を鑑みてなされたものであって、記録媒体に記録されている複数のアングルの映像を、同時に又は切り換えられても瞬時に、シームレスな映像を見ることができる信号再生装置及び方法を提供することを目的とする。
【課題を解決するための手段】
【００１６】
本発明に係る信号再生装置は、上述の課題を解決するために、複数アングルの映像が符号化画像データとして記録されている記録媒体から、上記複数アングルの上記符号化画像データを読み出す読み出し手段と、上記読み出し手段で読み出した上記符号化画像データを記憶する複数個の記憶手段と、上記複数個の記憶手段から出力された上記符号化画像データを交互に取り込むデマルチプレクサと、上記デマルチプレクサに取り込まれた上記複数アングルの符号化画像データが符号化単位毎に切り換えられて入力され、入力された符号化画像データを復号して復号画像データを生成する復号手段とを備える。
【００１７】
また、本発明に係る信号再生方法は、上述の課題を解決するために、複数アングルの映像が符号化画像データとして記録されている記録媒体から、複数種類の上記符号化画像データを読み出す読み出し工程と、上記読み出し工程で読み出した上記符号化画像データを複数個の記憶手段に記憶する複数段の記憶工程と、上記複数段の記憶工程から出力された上記符号化画像データをデマルチプレクサにより交互に取り込む工程と、上記デマルチプレクサに取り込まれた上記複数アングルの符号化画像データが符号化単位毎に切り換えられて入力され、入力された符号化画像データを復号して復号画像データを生成する復号工程とを有する。
【発明の効果】
【００１８】
本発明によれば、複数の符号化画像データを復号して、瞬時に切り換えて又は同時に、複数のアングルの映像を再生することができ、例えば、シームレスな映像の再生においても、瞬時に他のアングルの映像に切り換えることができる。
【発明を実施するための最良の形態】
【００１９】
以下、本発明の実施の形態について、図面を参照しながら説明する。
【００２０】
先ず第１の実施の形態は、本発明に係る信号再生装置及び方法を適用し、ＤＶＤ（ディジタルビデオディスク：ＤＶＤ−ＶＩＤＥＯ）を再生するように構成したＤＶＤ再生装置である。
【００２１】
なお、ＤＶＤは、ＭＰＥＧ２（Moving Picture Coding Experts Group ２）によって圧縮符号化された画像が記録されている記録媒体であって、画像データを構成するデータとして、フレーム内符号化画像からなるＩピクチャー，フレーム間順方向予測符号化画像からなＰピクチャー，双方向予測符号化画像からなるＢピクチャーとが記録されている。
【００２２】
上記Ｉピクチャーは、予測符号化を行わずに１つの画像を圧縮符号化して作れれる符号化画像データであって、自らデータのみの復号によって画像を生成する。上記Ｐピクチャーは、１つ前のフレーム内の画像から予測符号化して作られる符号化画像データである。上記Ｂピクチャーは、前後のフレーム内の画像から予測符号化して作られる符号化画像データである。
【００２３】
すなわち、復号する際には、Ｉピクチャーは、他の符号化画像データを必要とせず、またＰピクチャー又はＢピクチャーは、他に１つ又は２つの符号化画像データを必要とする。これら符号化画像データの復号は、ＤＶＤ再生装置のフレームメモリ上でデータデコーダによって行われる。
【００２４】
上記ＤＶＤを再生するＤＶＤ再生装置は、図１に示すように、復号を行う際に用いるフレームメモリ１４を、３つの領域に分割して構成している。フレームメモリ１４は、９つの異なる映像、例えば９方向のアングルの映像、の表示用に対応して９つの記憶領域を形成する表示用記憶領域１４ａと、復号後のＩピクチャー及びＰピクチャー、すなわち復号画像データを記憶する第１の復号用記憶領域１４ｂ及び第２の復号用記憶領域１４ｃとを有して構成される。
【００２５】
上記第１の復号用記憶領域１４ｂ及び第２の復号用記憶領域１４ｃには、上述のようにＩピクチャー又はＰピクチャーが記憶される。例えば、Ｐピクチャーの復号を行う場合、当該Ｐピクチャーを第１の復号用記憶領域１４ｂ又は第２の復号用記憶領域１４ｃの何れか一方に記憶して、他方の復号記憶領域に記憶されている復号後のＩピクチャー又はＰピクチャーの復号画像データを用いて復号を行う。
【００２６】
そして、第１の復号用記憶領域１４ｂ又は第２の復号用記憶領域１４ｃで復号されたＩピクチャー又はＰピクチャーからなる復号画像データは、縮小処理が施されて上記表示用記憶領域１４ａ内の分割された領域に記憶される。
【００２７】
上記表示用記憶領域１４ａは、表示画像データを記憶する領域であって、９つのアングの映像を表示するのに対応して９つの領域１４ａ１，１４ａ２，１４ａ３，１４ａ４，１４ａ５，１４ａ６，１４ａ７，１４ａ８，１４ａ９に分割して、この各領域に上記縮小処理が施された上記復号画像データを記憶するように構成されている。
【００２８】
なお、表示画像データの再生によって、例えばモニタに表示用記憶領域１４ａ内の画像データが再生される。また、表示用記憶領域１４ａの記憶領域の態様は、任意に選択することができる。この場合、選択された態様に形成された記憶領域に記憶された上記復号画像データは、上記表示画面データによってモニタ等の表示画面の上記記憶領域に対応した部分に画像として再生される。
【００２９】
例えばマルチアングル機能実行による再生では、上記各領域に同時刻のアングルの映像を構成する各復号画像データをそれぞれ記憶する。例えば、９つの領域に、第１のアングル乃至第９のアングルの映像に係る復号画像データを割り当てて記憶する。
【００３０】
このように構成されたフレームメモリ１４を備えることで、例えばＤＶＤ再生装置は、ＤＶＤに記憶された複数のアングルの映像を構成する符号化画像データを復号して、一度にこれら復号して得た映像を例えばモニタの各表示部に表示することができる。
【００３１】
以下、上記フレームメモリ１４について、図２に示すように構成されるＤＶＤ再生装置１を用いてさらに詳しく説明する。
【００３２】
ＤＶＤ再生装置１は、図２に示すように、記録媒体（ＤＶＤ）１００からＲＦ信号を再生するピックアップ２と、このピックアップ２により再生されたＲＦ信号が供給されこのＲＦ信号の２値化処理等を行うＲＦ回路３と、ＲＦ回路３からの再生データが供給されエラー訂正等のデコード処理をするデータデコーダ４と、データデコーダ４によりデコード処理がされた再生データを主映像圧縮データ，副映像圧縮データ，音声圧縮データに振り分けるデマルチプレクサ５とを備える。
【００３３】
なお、上記主映像圧縮データは、上記Ｉピクチャー，Ｐピクチャー及びＢピクチャー等の符号化画像データによって構成される。
【００３４】
また、ＤＶＤ再生装置１は、上記フレームメモリ１４を備えてデマルチプレクサ５から出力された上記主映像圧縮データを復号するビデオデコーダ６と、上記副映像圧縮データを復号して上記主映像データと合成する副映像デコーダ７と、上記音声圧縮データを復号するオーディオデコーダ８と、副映像デコーダ７からの副映像データと主映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＡ／Ｄ変換回路という。）１０とを備える。
【００３５】
さらに、ＤＶＤ再生装置１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０を制御するコントローラ１１と、このコントローラ１１とユーザーの操作入力を媒介するユーザーインターフェース１２と、コントローラ１１のデータ記憶部となるメモリ１３とを備える。
【００３６】
また、ＤＶＤ再生装置１から出力されたＮＴＳＣ変換回路９からのＮＴＳＣ信号又はＰＡＬ信号は、モニタ２００に入力されて映像化される。
【００３７】
なお、このＤＶＤ再生装置１が再生する記録媒体１００は、図１４に示すように、映画の１作品等の単位とされて、Video Object Set（以下、ＶＯＢＳという。）で記録されている。
【００３８】
上記ＶＯＢＳは、複数のVideo Object（以下、ＶＯＢという。）から構成されている。ＤＶＤは、例えば、１つの映画を複数のスト−リ−展開で見ることができるマルチスト−リ機能に対応して上記ＶＯＢごとで異なるスト−リ展開になるように構成されている。そして、ＶＯＢは、複数のＣｅｌｌにより構成される。
【００３９】
上記Ｃｅｌｌは、例えば映画における１シ−ン等の単位となる。すなわち、この１シ−ン毎の組み合わせがＶＯＢとなり、この組み合わせの違いにより上記マルチスト−リ機能等を構成する。そして、Ｃｅｌｌは、複数のVideo Object Unit（以下、ＶＯＢＵという。）により構成されている。
【００４０】
上記ＶＯＢＵは、複数の主映像圧縮データ，副映像圧縮データ及び音声圧縮データのグループから構成される。主映像圧縮データ，副映像圧縮データ又は音声圧縮データは、後述するように、デマルチプレクサ５から主映像パック（Ｖ＿ＰＣＫ），副映像パック（ＳＰ＿ＰＣＫ）又は音声パック（Ａ＿ＰＣＫ）にパック化されて出力される。
【００４１】
上記主映像圧縮データは、映画の主映像となるデータであって、ＤＶＤフォーマットにおけるビデオストリームを構成する。また、副映像圧縮データは、字幕等のデータであって、ＤＶＤフォーマットにおけるサブピクチャーストリームを構成する。そして、音声圧縮データは、音声に関するデータであって、ＤＶＤフォーマットにおけるオーディオストリームを構成する。
【００４２】
ここで、ＭＰＥＧ２方式でいうＧＯＰ（Group of Picture）は、ＤＶＤにおいて各アングルの映像データが細切れにされてなるアングルブロックとされ、インターリーブ構造を採用して、アングルブロックを混ぜてＤＶＤに記録されている。ＧＯＰは、例えば１ＶＯＢＵ内にインターリーブ構造を採用して記録されている。そして、１ＧＯＰは、通常、図１５に示すように、Ｉピクチャー，Ｐピクチャー及びＢピクチャーによって構成され、これらＩピクチャー，Ｐピクチャー及びＢピクチャーが合計で１５枚になるように構成されている。
【００４３】
上記フォーマットによってデータが記録された記録媒体（ＤＶＤ）１００は、ＤＶＤ再生装置１の備えるピックアップ２によってそのデータが読み出される。
【００４４】
ピックアップ２は、当該ピックアップ２に組み込まれているレーザ光源からのレーザ光を記録媒体１００の信号記録面に照射して、信号記録面で反射された反射光を受光する。ピックアップ２は、受光した光に応じて再生したＲＦ信号をＲＦ回路３に供給する。
【００４５】
ＲＦ回路３は、このＲＦ信号の波形等化及び２値化等をして再生データとその同期信号等を生成する。このＲＦ回路３により生成されたディジタルデータ等は、データデコーダ４に供給される。
【００４６】
データデコーダ４は、ＲＦ回路３により生成された再生データに基づきデータの復調や誤り訂正等の処理を行う。データデコーダ４により復調等がされたディジタルデータは、デマルチプレクサ５に供給される。
【００４７】
ここで、ディジタルデータには、主映像圧縮データが含まれている。よって、符号化画像データは、ピックアップ２，ＲＦ回路３，データデコーダ４によって記録媒体１００から読み出されたことになる。
【００４８】
デマルチプレクサ５は、データデコーダ４によりエラー訂正のデコード処理等が施された記録媒体１００から再生したディジタルデータを、各種パック、すなわち、主映像パック、副映像パック又は音声パックに分割して、後段の各デコーダに当該各パックを出力する。
【００４９】
なお、デマルチプレクサ５と上記データデコーダ４の処理速度を吸収するために、デマルチプレクサ５とデータデコーダ４の間にトラックバッファが設けられている。
【００５０】
デマルチプレクサ５は、主映像圧縮データからなる主映像パックをビデオデコーダ６に供給し、副映像圧縮パックからなる副映像パックを副映像デコーダ７に供給し、音声圧縮パックからなる音声パックをオーディオデコーダ８に供給する。
【００５１】
ビデオデコーダ６は、供給された主映像パック内の主映像圧縮データの復号処理を行い、この復号処理により伸長化された主映像データを生成する。ここで、主映像データは、復号されたＩピクチャー，Ｐピクチャー，Ｂピクチャーとされる復号画像データである。そして、ビデオデコーダ６は、復号処理を行うために上述のフレームメモリ１４を有している。
【００５２】
ここで、上記ビデオデコーダ６が上記フレームメモリ１４を用いて行う復号処理について、例えばマルチアングル機能を実行可能に構成された例えばＶＯＢＵ内の第９のマルチアングルの映像のＩピクチャー又はＩピクチャー及びＰピクチャーを復号して、順方向再生を行う場合について説明する。なお、上記Ｉピクチャーの復号については、第１のＶＯＢＵ、そして第２のＶＯＢＵ内のＩピクチャーＩ２を順次復号する場合について説明する。また、上記Ｉピクチャー及びＰピクチャーの復号処理については、第１のＶＯＢＵ内のＩピクチャーＩ２，ＰピクチャーＰ５，ＰピクチャーＰ８を順次復号する場合について説明する。
【００５３】
Ｉピクチャーのみの復号を行う場合、ビデオデコーダ６は、図３（ａ）に示すように、入力された主映像圧縮データを構成する内のＩピクチャーＩ２を復号してフレームメモリ１４の第１の復号用記憶領域１４ｂに記憶する。ビデオデコーダ６は、ＩピクチャーＩ２の復号を、例えば第１の復号用記憶領域１４ｂ上で書き換えながら行う。
【００５４】
復号後、ビデオデコーダ６は、図３（ｂ）に示すように、復号したＩピクチャーＩ２に縮小処理を施して、表示用記憶領域１４ａの第９のアングルの表示用の領域１４ａ９に当該縮小処理を施した復号後のＩピクチャーＩ２をコピーする。
【００５５】
上記表示用記憶領域１４ａに縮小処理された記憶されたＩピクチャーＩ２は、上記副映像デコーダ７及びＮＴＳＣ変換回路９を介してモニタ２００の分割された表示部に画像として映し出される。
【００５６】
ＤＶＤ再生装置１は、復号したＩピクチャーＩ２による生成した画像を映す一方、図３（ｃ）に示すように、フレームメモリ１４の第１の復号用記憶領域１４ｂに、次のＩピクチャー、すなわ第２のＶＯＢＵ内に記録されていたＩピクチャーＩ２を記憶する。ここで、ビデオデコーダ６は、第１のＶＯＢＵのＩピクチャーＩ２で行ったと同様に、この第２のＶＯＢＵのＩピクチャーＩ２を復号して、その後に縮小処理を施し、表示用記憶領域１４ａにコピーする。
【００５７】
上記表示用記憶領域１４ａに縮小処理されてコピーされた第２のＶＯＢＵのＩピクチャーＩ２は、モニタ２００において上記第１のＶＯＢＵのＩピクチャーＩ２の次の画像とされて映し出される。詳しくは、上述のようにビデオデコーダ６において復号して得た復号画像データ（主映像データ）は、副映像デコーダ７に供給される。
【００５８】
副映像デコーダ７は、供給された副映像パック内の副映像圧縮データの復号処理を行い、この復号処理をした副映像データをビデオデコーダ６から供給された上記主映像データに合成して、映像データを生成する。すなわち、副映像デコーダ７は、副映像データとして再生される字幕データ等を上記主映像データと合成する。なお、この副映像デコーダ７は、副映像データが無い場合には、主映像データをそのまま映像データとして出力する。副映像デコーダ７は、生成した映像データをＮＴＳＣ変換回路９に供給する。
【００５９】
ＮＴＳＣ変換回路９は、映像データをディジタルデータからＮＴＳＣやＰＡＬ等のテレビジョン信号に変換する。ＮＴＳＣ変換回路９からのテレビジョン信号は、モニタ２００に映像として映し出される。
【００６０】
モニタ２００に入力されたテレビジョン信号には、上記ビデオデコーダ６で復号されたＩピクチャーI２が含まれている。また、モニタ２００は、上記フレームメモリ１４の表示用記憶領域１４ａの分割された複数の記憶領域に対応して表示画面が９つに分割表示される。ここで、分割表示は、例えば表示用記憶領域の分割態様に従う。したがって、モニタ２００の表示画面が分割されてなる一の表示部に、上記ＩピクチャーI２に基づく映像が映し出される。
【００６１】
なお、オーディオデコーダ８は、音声パック内の音声圧縮データの復号処理を行い、伸長した音声データを生成する。すなわち、オーディオデコーダ８は、音声データがＭＰＥＧ２方式によって圧縮されていれば、これに対応した伸長処理をして、音声圧縮データを生成する。また、オーディオデコーダ８は、ＭＰＥＧ２のフォーマットの他に、リニアＰＣＭ又はドルビーＡＣ３のフォーマットであれば、これに対応した処理を行う。オーディオデコーダ８は、生成した音声データをＡ／Ｄ変換回路１０に供給する。
【００６２】
Ａ／Ｄ変換回路１０は、ディジタルデータである音声データをアナログの音声データに変換して出力する。この出力をスピーカ等に供給することにより、ユーザーが記録媒体１００から再生した映像を視聴することができる。
【００６３】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０の制御を行う。また、このコントローラ１１には、操作パネルやリモートコントローラであるユーザーインターフェース１２を介して操作入力がされ、この操作入力に基づき各回路の制御を行う。
【００６４】
このコントローラ１１は、ビデオデコーダ６を介して、フレームメモリ１４での書き込み制御及び読み出し制御を行う。すなわち、コントローラ１１は、フレームメモリ１４の復号用記憶領域に記憶されている復号画像データの縮小処理及び当該縮小処理した一の復号画像データを表示用記憶領域１４ａの分割表示のために形成される一の記憶領域に書き込み制御を行う。そして、コントローラ１１は、表示用記憶領域１４ａ内に記憶された復号画像データの読み出す読み出し制御を行う。
【００６５】
なお、復号画像データの表示記憶領域１４ａからの読み出しは、表示記憶領域１４ａ単位の表示画像データの読み出しによって行われる。表示画像データによって、上記記憶領域に２００対応して上記一の記憶画像に記憶されている復号画像データによる画像がモニタの当該記憶領域に対応する表示位置に映し出される。
【００６６】
よって、上述の第９のアングルのＩピクチャーに対して行った復号及び縮小処理を第１乃至第８のアングルのＩピクチャーに対しても同様に行うことで、ＤＶＤ再生装置１は、第９のアングルの映像と同時刻における第１乃至第８のアングルの映像を同時にモニタ２００に映し出すことができる。この場合、例えば、各アングルの画像を構成する符号化画像データの復号は、図５（ａ）乃至図５（ｄ）に示すように、第１のアングルの画像（２００ａ），第２のアングルの画像（２００ｂ），・・・・・，第９のアングルの画像（２００ｉ），そして第１のアングルの画像（２００ａ）を生成するような手順で行う。
【００６７】
なお、Ｉピクチャーを復号するだけであれば、フレームメモリ１４は、上述のように少なくとも１つの復号用記憶領域を備えていればよい。
【００６８】
また、Ｉピクチャー及びＰピクチャーの復号の場合については、ビデオデコーダ６は、図４（ａ）に示すように、入力されたＩピクチャーＩ２が先ず復号してフレームメモリ１４の第１の復号用記憶領域１４ｂに記憶される。
【００６９】
復号後、ビデオデコーダ６は、図４（ｂ）に示すように、復号したＩピクチャーＩ２に縮小処理を施して、表示用記憶領域１４ａの第９のアングルの表示用の領域１４ａ９に当該縮小処理を施した復号後のＩピクチャーＩ２をコピーする。
【００７０】
上記表示用記憶領域１４ａに縮小処理されて記憶されたＩピクチャーＩ２によって生成された画像は、フレームメモリ１４の表示用記憶領域１４ａに対応したモニタ２００の一の表示部に映し出される。
【００７１】
一方、ビデオデコーダ６は、図４（ｃ）に示すように、次に入力されたＰピクチャーＰ５を、第１の復号用記憶領域１４ｂに記憶されている復号後のＩピクチャーＩ２によって予測して復号し、第２の復号用記憶領域１４ｃに記憶する。
【００７２】
第２の復号用記憶領域１４ｃに復号後のＰピクチャーＰ５を記憶した後、ビデオデコーダ６は、図４（ｄ）に示すように、復号したＰピクチャーＰ５に縮小処理を施して、表示用記憶領域１４ａの領域１４ａ９に当該縮小処理を施した復号後のＰピクチャーＰ５をコピーする。
【００７３】
上記表示用記憶領域１４ａに縮小処理されて記憶されたＰピクチャーＰ５によって生成された画像は、モニタ２００の上記一の表示部に映し出されていた上記ＩピクチャーＩ２の次の画像として映し出される。
【００７４】
ＰピクチャーＰ８を復号する際には、ビデオデコーダ６は、図４（ｅ）に示すように、次に入力されたＰピクチャーＰ８を、第２の復号用記憶領域１４ｃに記憶されている復号後のＰピクチャーＰ５によって予測して復号し、第１の復号用記憶領域１４ｂに記憶する。
【００７５】
第１の復号用記憶領域１４ｂに復号後のＰピクチャーＰ８を記憶した後、ビデオデコーダ６は、図４（ｆ）に示すように、復号したＰピクチャーＰ８に縮小処理を施して、表示用記憶領域１４ａの領域１４ａ９に当該縮小処理を施した復号後のＰピクチャーＰ８をコピーする。
【００７６】
上記表示用記憶領域１４ａに縮小処理されて記憶されたＰピクチャーＰ８によって生成された画像は、モニタ２００の上記一の表示部に映し出されていた上記ＰピクチャーＰ５の次の画像として映し出される。
【００７７】
よって、モニタ２００の上記一の表示部には、復号されたＩピクチャー，Ｐピクチャーに基づく画像が次々に映し出されたことになる。
【００７８】
ＤＶＤ再生装置１は、第９のアングルのＩピクチャー及びＰピクチャーに対して行った上述の復号及び縮小処理を第１乃至第８のアングルのＩピクチャー及びＰピクチャーに対しても同様に行うことで、第９のアングルの映像と同時刻における第１乃至第８のアングルの映像をモニタ２００の対応した各表示部に映し出すことができる。
【００７９】
上述のＩピクチャー又はＩピクチャー及びＰピクチャーのみの復号によって行う順方向再生は、例えば高速再生を実行する場合に適用される。また、通常の再生を行うのであれば、フレームメモリ１４にさらに復号用記憶領域を設ければよい。
【００８０】
また、ＤＶＤ再生装置１は、逆方向再生を行うこともでき、上述のように同時刻の第１乃至第９のアングルの映像をモニタ２００に映し出すこともできる。例えば、Ｉピクチャーを用いた逆方向再生は、第ｎのＶＯＢＵ内のＩピクチャーを復号した後、第ｎ−１のＶＯＢＵ内のＩピクチャーを復号するというように、ＧＯＰ内のＩピクチャーを復号して行う。
【００８１】
そして、Ｉピクチャー及びＰピクチャーを用いた逆方向再生は、先ず第１の復号用記憶領域１４ｂでＩピクチャーを復号して、それをもとに第２の復号用記憶領域でＰピクチャーを復号を行う。例えば、第１の復号用記憶領域１４ｃでＩピクチャーＩ２を復号し、その復号したＩピクチャーＩ２をもとに同一のＶＯＢＵ内のＰピクチャーＰ５を第２の復号用記憶領域１４ｃで復号するというように復号処理を行い、モニタ２００への表示を復号順とは逆にする、すなわちＰピクチャーＰ５，ＩピクチャーＩ２の順序で再生することで逆方向再生を行う。
【００８２】
次にＤＶＤ再生装置１が逆方向再生可能に構成したフレームメモリ１４について、例えば、第９のアングルの映像を構成するＩピクチャー及びＰピクチャーを復号する場合について説明する。
【００８３】
逆方向再生可能に構成したフレームメモリ１４は、図６に示すように、９つの記憶領域を形成する表示用記憶領域１４ａと、Ｉピクチャー又はＰピクチャーの復号後の復号画像データを記憶する第１の復号記憶領域１４ｂ，第２の復号記憶領域１４ｃ及び第３の復号用記憶領域１４ｄとを有して構成される。
【００８４】
すなわち、逆方向再生に適用する場合は、フレームメモリ１４にさらに第３の復号用記憶領域１４ｄを設ける。
【００８５】
逆方向再生する場合、図７（ａ）に示すように、入力されたＩピクチャーＩ２を復号してフレームメモリ１４の第１の復号用記憶領域１４ｂに記憶する。
【００８６】
その後、ビデオデコーダ６は、図７（ｂ）に示すように、次に入力したＰピクチャーＰ５を、第１の復号用記憶領域１４ｂに記憶されている復号後のＩピクチャーＩ２を用いた予測により復号して、第２の復号用記憶領域１４ｃに記憶する。
【００８７】
さらにその後、ビデオデコーダ６は、図７（ｃ）に示すように、次に入力したＰピクチャーＰ８を、第２の復号用記憶領域１４ｃに記憶されている復号後のＰピクチャーＰ５を用いた予測により復号して、第３の復号用記憶領域１４ｄに記憶する。
【００８８】
そして、表示用記憶領域１４ａへの各復号データのコピーは、上記復号の処理を行ったのと逆の順番で行う。すなわち、図７（ｄ）に示すように、先ず第３の復号用記憶領域１４ｄに記憶されている復号後のＰピクチャーＰ８に縮小処理を施して、表示用記憶領域１４ａの第９のアングルの表示用の領域１４ａ９に当該縮小処理を施した復号後のＰピクチャーＰ８をコピーする。
【００８９】
次に、図７（ｅ）に示すように、第２の復号用記憶領域１４ｃに記憶されている復号後のＰピクチャーＰ５に縮小処理を施して、表示用記憶領域１４ａの領域１４ａ９に当該縮小処理を施した復号後のＰピクチャーＰ５をコピーする。
【００９０】
そして、図７（ｆ）に示すように、第１の復号用記憶領域１４ｂに記憶されている復号後のＩピクチャーＩ２に縮小処理を施して、表示用記憶領域１４ａの領域１４ａ９に当該縮小処理を施した復号後のＩピクチャーＩ２をコピーする。
【００９１】
上述のように、ＰピクチャーＰ８，ＰピクチャーＰ５，ＩピクチャーＩ２を表示用記憶領域１４ａの領域１４ａ９に順次コピーすることによって、ＤＶＤ再生装置１は、上記領域１４ａ９に対応するモニタ２００の一の表示部に、ＰピクチャーＰ８，ＰピクチャーＰ５，ＩピクチャーＩ２の画像を順次表示することができる。
【００９２】
なお、上述のＩピクチャー及びＰピクチャーのみの復号によって行う逆方向再生は、例えば高速逆再生を実行する場合に適用される。また、通常の逆方向再生を行うのであれば、フレームメモリ１４に復号用記憶領域を１つ設ければよい。
【００９３】
以上、Ｉピクチャー又はＩピクチャー及びＰピクチャーのみの復号によって行うように構成されたフレームメモリ１４及びこのフレームメモリ１４を用いて逆方向再生を行う場合の説明である。
【００９４】
ＤＶＤ再生装置１は、上述のように構成したフレームメモリ１４を備えることで、順方向再生及び逆方向再生において、同時刻における複数のアングルの映像を同時に表示することが可能になる。
【００９５】
これにより、例えば、シームレスな映像切り換えにおいて問題とされた切り換えた瞬時の他のアングルの映像を見逃すという問題を解消することもできる。例えば、視聴者は、シームレスな映像を見ることができ、且つ見たい他のアングルの映像も同時に見ることができる。
【００９６】
なお、再生するアングルの映像は、シームレスな映像ばかりでなく、ノンシームレスな映像であってよい。
【００９７】
また、各アングルの映像は、例えば１ＶＯＢＵ単位として構成され、さらに、同時刻の映像の各アングルの映像は各ＶＯＢＵ間で属性をもっている。すなわち、ＤＶＤ再生装置１は、各アングルの映像の再生においては、上記対応づけされた各ＶＯＢＵ内のピクチャーを復号している。
【００９８】
しかし、これに限定されず、ＤＶＤ再生装置１は、例えば、順方向再生時であって、他のアングルの映像のピクチャーを復号する場合、次の時刻に属するＶＯＢＵの上記他のアングルの映像を構成するピクチャーを復号していくこともできる。また、ＤＶＤ再生装置１は、逆方向再生時であって、他のアングルの映像のピクチャーを復号する場合、真の時刻に属するＶＯＢＵの上記他のアングルの画像を構成するピクチャーを復号していくこともできる。
【００９９】
次に第２の実施の形態について説明する。第２の実施の形態は、本発明に係る信号再生装置及び方法を適用し、ＤＶＤを再生するように構成したＤＶＤ再生装置である。
【０１００】
なお、ＤＶＤは、上述の第１の実施の形態と同様にマルチアングル機能を有するようなデータフォーマットで構成されている。すなわち、ＤＶＤは、ＭＰＥＧ２方式を採用しており、映像を、Ｉピクチャー，Ｐピクチャー及びＢピクチャーとして圧縮符号化して記録している。以下、異なる２つのアングルの映像が記録されているＤＶＤを再生する場合について説明する。
【０１０１】
ＤＶＤ再生装置は、図８に示すように、２個のビデオデコーダを備えて、この２個のビデオデコーダによって復号して得た復号画像データの出力を切り換えて後段の回路に出力している。
【０１０２】
詳しくは、ＤＶＤ再生装置１は、記録媒体１００からＲＦ信号を再生するピックアップ２と、このピックアップ２により再生されたＲＦ信号がされ、このＲＦ信号を２値化処理を行うＲＦ回路３と、ＲＦ回路３からの再生データ等が供給され、エラー訂正等のデコード処理をするデータデコーダ４と、第１の記憶領域２１ａ及び第２の記憶領域２１ｂを有し、データデコーダ４から出力されたディジタルデータを記憶するトラックバッファ２１と、データデコーダ４によりデコード処理がされたディジタルデータを主映像圧縮データ，副映像圧縮データ，音声圧縮データに振り分けるデマルチプレクサ５とを備える。
【０１０３】
また、ＤＶＤ再生装置１は、デマルチプレクサ５から出力された上記主映像圧縮データを復号する第１のビデオデコーダ２２及び第２のビデオデコーダ２３と、上記副映像圧縮データを復号して主映像データと合成する副映像デコーダ７と、上記音声圧縮データを復号するオーディオデコーダ８と、副映像デコーダ７からの副映像データと主映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＡ／Ｄ変換回路という。）１０とを備える。
【０１０４】
さらに、ＤＶＤ再生装置１は、ピックアップ２，ＲＦ回路３，データデコーダ４，デマルチプレクサ５，第１のビデオデコーダ２２，第２のビデオデコーダ２３，切り換えスイッチ２４，副映像デコーダ７，オーディオデコーダ８，ＮＴＳＣ変換回路９及びＡ／Ｄ変換回路１０を制御するコントローラ１１と、このコントローラ１１とユーザーの操作入力を媒介するユーザーインターフェース１２と、コントローラ１１のデータ記憶部となるメモリ１３とを備える。
【０１０５】
上記記録媒体１００からＲＦ信号を再生するピックアップ２、このＲＦ信号を信号処理するＲＦ回路３及びＲＦ回路３で信号処理された再生データを復号するデータデコーダ４は、それぞれが処理速度を、通常処理の例えば２倍にすることができるように構成している。ここで、通常処理は、記録媒体１００から、例えば１つのアングルの映像分を読み込んで行った場合の処理をいう。
【０１０６】
また、上記デマルチプレクサ５も、データの処理速度を、通常処理の２倍にすることができるように構成している。これにより、デマルチプレクサ５は、入力されてくる主映像圧縮データ，副映像圧縮データ及び音声圧縮データの振り分けを上記通常処理と異なることなく行うことができる。
【０１０７】
以下、上記ＤＶＤ再生装置１の構成部分について説明する。なお、第１の実施の形態となるＤＶＤ再生装置１で説明した部分については、図２と同一の番号を付し、その説明を省略する。
【０１０８】
ＤＶＤ再生装置１は、記録媒体１００に記録されている符号化画像データ等をピックアップ２、ＲＦ回路３及びデータデコーダ４を介してトラックバッファ２１に入力する。
【０１０９】
上記トラックバッファ２１は、第１の記憶領域２１ａ及び第２の記憶領域２１ｂの２つの記憶領域を有している。トラックバッファ２１は、上記各記憶領域に入力されたディジタルデータを記憶する。ここで、ディジタルデータは、上述したように、デマルチプレクサ５によって分割される主映像圧縮データ，副映像圧縮データ，音声圧縮データを含んでいる。
【０１１０】
このトラックバッファ２１は、上記データデコーダ４とデマルチプレクサ５との処理速度の違いを吸収している。そして、トラックバッファ４は、デマルチプレクサ５からの転送命令によってディジタルデータを当該デマルチプレクサ５に出力する。
【０１１１】
デマルチプレクサ５は、上述したように通常処理速度の２倍の処理速度を有している。デマルチプレクサ５は、トラックバッファ２１の上記各記憶領域から出力されたディジタルデータを交互に取り込み、取り込んだディジタルデータを主映像圧縮データ，副映像圧縮データ及び音声圧縮データに分割して、第１のビデオデコーダ２２又は第２のビデオデコーダ２３、副映像デコーダ７及び音声デコーダ８に出力する。
【０１１２】
第１のビデオデコーダ２２及び第２のビデオデコーダ２３に出力される主映像圧縮データは、いわゆる符号化画像データであって、いわゆるＩピクチャー，Ｐピクチャー，Ｂピクチャーによって構成されるデータである。そして、出力は、例えば１ＧＯＰ単位となるように上記各ビデオデコーダ６に対して行われる。また、上記主映像圧縮データ，副映像圧縮データ及び音声圧縮データは、パック化されてデマルチプレクサ５の後段に備えた各デコーダに供給される。
【０１１３】
なお、第１のビデオデコーダ２２及び第２のビデオデコーダ２３とは、それぞれがＩピクチャー，Ｐピクチャー，Ｂピクチャーの復号のために３つの復号用記憶領域を備えたフレームメモリを有している。
【０１１４】
第１のビデオデコーダ２２及び第２のビデオデコーダ２３は、入力された各符号化画像データを復号する。ここで行う復号処理は、フレーム間予測によって行う。この第１のビデオデコーダ２２及び第２のビデオデコーダ２３によって復号された復号画像データは、切り換えスイッチ２４に入力される。
【０１１５】
切り換えスイッチ２４は、上記第１のビデオデコーダ２２又は第２のビデオデコーダ２３からの復号画像データの何れか一方を後段の副映像デコーダ７に供給する。切り換えスイッチ２４のスイッチングは、コントローラ１１によって行われる。
【０１１６】
例えば、第１のビデオデコーダ２１からの復号画像データの出力中に切り換えの命令を受けた場合、切り換えスイッチ２４は、切り換え動作によって、出力するデータを第２のビデオデコーダ２３からの復号画像データに切り換える。よって、上記第１のビデオデコーダ２２及び第２のビデオデコーダ２３で復号された符号化画像データは、この切り換えスイッチ２４によって、何れか一方が出力されるように瞬時に切り換えられる。例えばこの様なスイッチングは、アングルの映像の切り換えの際に行われる。
【０１１７】
上記切り換えスイッチ２４を介して出力された復号画像データは、副映像デコーダ７及びＮＴＳＣ変換回路９を介してモニタ２００に画像として表示される。
【０１１８】
よって、第２の実施の形態となるＤＶＤ再生装置１は、一のアングルの映像の再生中に他のアングルの映像に瞬時に切り換えて再生することができるため、当該切り換えた瞬間の他のアングルの映像をモニタ２００に表示することができる。
【０１１９】
このＤＶＤ再生装置１によって、例えば、視聴者は、他のアングルの映像に切り換えた時に見たい当該他のアングルの映像を見逃すことがなくなる。
【０１２０】
ここでいうアングルの映像は、シームレスな映像ばかりでなく、ノンシームレスな映像であってもよく、ＤＶＤ再生装置１は、これらの映像の種類に関係なく瞬時に切り換えて再生することができる。
【０１２１】
なお、上記他のアングルの映像に切り換えても副映像データ及び音声データについては、例えば、上記一のアングルの映像のデータのものを用いる。つまり、上記他のアングルの映像の副映像データ及び音声データは、上記デマルチプレクサ５から出力されることもなく、また、復号されることもない。
【０１２２】
また、第１のビデオデコーダ２２に入力される符号化画像データと第２のビデオデコーダ２３に入力される符号化画像データとでビットレートに違いがある場合、デマルチプレクサ５と第１のビデオデコーダ２２の間に設けられている図示しないビデオバッファの空き領域とデマルチプレクサ５と第２のビデオデコーダ２３との間に設けられている図示しないビデオバッファの空きの容量とを、例えばコントローラ１１によって監視して、空きの領域のあるビデオバッファにデマルチプレクサ５からデータを送出すればよい。なお、各ビデオバッファは、デマルチプレクサ５の分配処理の処理速度と各ビデオデコーダ復号の処理速度の違いを吸収するバッファである。すなわち、このバッファを用い、一のバッファに空きがなくなったら、他のバッファにデータを送出して、ビットレートの違いを吸収する。
【０１２３】
また、第２の実施の形態となるＤＶＤ再生装置１に、図９に示すように、通常の処理速度の２倍の処理速度をもつビデオデコーダ２６と、デマルチプレクサ５とビデオデコーダ２６との間に設けた切り換えスイッチ２５とを備えることもできる。
【０１２４】
上記切り換えスイッチ２５は、デマルチプレクサ５からの符号化画像データを、例えば１ＧＯＰ単位でビデオデコーダ２６に出力する。この切り換えスイッチ２５のスイッチングは、コントローラ１１によって行われる。
【０１２５】
例えば、一のアングルの映像に対応する符号化画像データの出力中に切り換えの命令が出された場合、切り換えスイッチ２５は、他のアングルの映像に対応する符号化画像データを出力する。よって、この切り換えスイッチ２５の切り換え動作によって、一のアングルの映像に対応する符号化画像データ又は他のアングルの映像に対応する符号化画像データの何れか一方が出力される。
【０１２６】
上記ビデオデコーダ２６は、切り換えスイッチ２５からの符号化画像データを通常の２倍の処理速度で復号処理を行うことができる。そして、ビデオデコーダ２６で復号して得た復号圧縮データは、副映像デコーダ７及び副映像デコーダ７及びＮＴＳＣ変換回路９を介してモニタ２００に画像として表示される。
【０１２７】
よって、上記切り換えスイッチ２５及び２倍の復号処理をもつビデオデコーダ２６を備えることでも、ＤＶＤ再生装置１は、シームレスな映像で且つ瞬時に映像のアングルを切り換えることができる。
【０１２８】
次に第３の実施の形態について説明する。この第３の実施の形態は、本発明に係る信号再生装置及び方法を適用し、ＤＶＤを再生するように構成したＤＶＤ再生装置である。
【０１２９】
この第３の実施の形態となるＤＶＤ再生装置は、複数のアングルの映像を同時に再生するように構成している。そのため、このＤＶＤ再生装置は、図１０に示すように、デマルチプレクサ５からの主映像圧縮データがそれぞれ入力される第１のビデオデコーダ２３及び第２のビデオデコーダ２４と、この第１のビデオデコーダ２２及び第２のビデオデコーダ２３からそれぞれ出力された復号画像データを混合する混合回路２７とを有している。
【０１３０】
すなわち、第３の実施の形態となるＤＶＤ再生装置１は、第２の実施の形態として用いたＤＶＤ再生装置１における切り換えスイッチ２４に代えて混合回路２７を備える構成を採る。
【０１３１】
このように構成されたＤＶＤ再生装置１は、混合回路２７によって、第１のビデオデコーダ２２から出力された復号画像データと第２のビデオデコーダ２３から出力された復号画像データとを混合してモニタ２００に供給することができるようになる。
【０１３２】
例えば、第１のビデオデコーダ２２から第１のアングルの映像を構成する復号画像データが出力され、第２のビデオデコーダ２３から第１のアングルの映像を構成する復号画像データが出力された場合、図１２（ａ）乃至図１２（ｂ）に示すように、第１のアングルの画像（図１２（ａ）に示す。）と第２のアングルの画像（図１２（ｂ）に示す。）とを同時に表示（図１２（ｃ）に示す。）することができる。
【０１３３】
なお、図１２（ｃ）に示すように、モニタ２００の画面内において第１のアングルの画像と第２のアングルの画像とが重ならないようにするのであれば、ＤＶＤ再生装置１は、第１のビデオデコーダ２３と第２のビデオデコーダ２４とで３つの復号用記憶領域からなるフレームメモリを共有することができる。
【０１３４】
また、フレームメモリを第１のビデオデコーダ２２及び第２のビデオデコーダ２３の各々が備えることによって、図１３（ａ）乃至図１３（ｂ）に示すように、第１のアングルの画像（図１３（ａ）に示す。）をモニタ２００の表示画面全体を使い、また第２のアングルの画像（図１３（ｂ）に示す。）をモニタ２００の表示画面の一部を使い表示（図１３（ｃ）に示す。）することもできる。
【０１３５】
また、ＤＶＤ再生装置１は、３つの復号用記憶領域からなるフレームメモリを用いることで、Ｉピクチャー，Ｐピクチャー及びＢピクチャーを復号することができ、通常の再生が可能になる。
【０１３６】
よって、ＤＶＤ再生装置１は、上述のように２つのビデオデコーダを備えたときと同様に、同時に２つ異なるアングルの映像を通常再生することができ、当該通常再生した２つのを異なるアングルの映像をモニタ２００に表示することができる。
【０１３７】
次に第４の実施の形態について説明する。この第４の実施の形態は、本発明に係る信号再生装置及び方法を適用し、ＤＶＤを再生するように構成したＤＶＤ再生装置である。
【０１３８】
この第４の実施の形態となるＤＶＤ再生装置は、複数のアングルの映像を同時に再生することができ、またシームレス且つ瞬間的に再生中のアングルの映像を切り換えることができるように構成している。そのため、このＤＶＤ再生装置は、図１１に示すように、デマルチプレクサ５からの主映像圧縮データがそれぞれ入力される第１のビデオデコーダ２２及び第２のビデオデコーダ２３と、この第１のビデオデコーダ２２及び第２のビデオデコーダ２３からそれぞれ出力された復号画像データを混合する混合回路２７と、第１のビデオデコーダ２２から出力される復号画像データについて混合回路２７に対して送出をオン及びオフするスイッチ２８と、第２のビデオデコーダ２３から出力される復号画像データについて混合回路２７に対しての送出をオン及びオフするスイッチ２９とを有している。
【０１３９】
このように構成したＤＶＤ再生装置１は、スイッチ２８及びスイッチ２９をオンにした状態では、混合回路２７によって、第１のビデオデコーダ２２から出力された復号画像データと第２のビデオデコーダ２３から出力された復号画像データとを混合してモニタ２００に供給することができる。例えば、混合された映像が、図１２（ｃ）及び図１３（ｃ）に表示されるように、ＤＶＤ再生装置１は、モニタ２００に供給することができる。
【０１４０】
さらに、ＤＶＤ再生装置１は、スイッチ２８及びスイッチ２９のオン／オフの操作によって、第１のビデオデコーダ２２及び第２のビデオデコーダ２３を切り換えて符号化画像データの復号を行うこともできる。この場合、スイッチ２８がオンのときスイッチ２９をオフにして、またスイッチ２８がオフのときスイッチ２９をオンにする。
【０１４１】
例えば、第１のビデオデコーダ２２からの一のアングルの映像を構成する復号画像データの出力中に切り換えの命令が出された場合、スイッチ２８をオフにして、一方でスイッチ２９をオンにすることで、第２のビデオデコーダ２３から他のアングルの映像を構成する復号画像データを出力することができるようになる。すなわち、上記第１のビデオデコーダ２２及び第２のビデオデコーダ２３で復号された画像圧符号化データの何れか一方が瞬時に切り換えられて出力される。
【０１４２】
よって、ＤＶＤ再生装置１は、一のアングルの映像の再生中に他のアングルの映像に瞬時に切り換えて再生することができ、当該切り換えた他のアングルの映像をモニタ２００に表示することができる。
【０１４３】
以上のことから第４の実施の形態となるＤＶＤ再生装置１は、複数のアングルを同時に再生すること、またシームレスな映像であっても瞬時に他のアングルの映像に切り換えることもできる。
【０１４４】
このＤＶＤ再生装置１によって、例えば、視聴者は、他のアングルの映像を同時に見ることができ、さらに切り換え操作によって他のアングルの見たいときでも、切り換えたときに見たいアングルの映像を見逃すことがなくなる。
【０１４５】
なお第２乃至第４の実施の形態となるＤＶＤ再生装置１を、２つのアングルの映像が記録されたＤＶＤの再生を例に挙げて説明したが、３つ以上、例えば複数ｍのアングルの映像が記録されているＤＶＤを再生することもできる。この場合、ＤＶＤ再生装置１は、２個及び２倍の処理速度をそれぞれｍ個及びｍ倍の処理速度になるように各部を構成する。
【０１４６】
以上説明した本発明に係る信号再生装置及び方法のいくつかの実施の形態の構成及び作用効果をまとめると、次のようになる。
【０１４７】
すなわち、先ず、本発明に係る信号再生装置の実施の形態は、読み出し手段で読み出した複数アングルの内の一のアングルの符号化画像データを復号して複数アングルの復号画像データを生成する復号手段と、復号手段によって生成した複数アングルの内の一のアングルの復号画像データを記憶する復号用記憶手段と、表示画像データを記憶し、分割表示するための記憶領域が形成される表示用記憶手段と、復号用記憶手段に記憶されている復号画像データに縮小処理を施して、この縮小処理した復号画像データを表示用記憶手段の記憶領域に書き込み、この記憶領域に書き込まれた復号画像データを含む表示画像データを読み出す制御手段とを備えることで、符号化画像データによって構成される複数のアングルの映像を同時に再生することができる。
【０１４８】
よって、上記信号再生装置は、例えば、ノンシームレスであるか否かに関わらず映像を同時に提供することができ、視聴者は、見たい映像を見逃すこともなくなる。
【０１４９】
ここで、上記復号用記憶手段を少なくとも１つ備え、上記符号化画像データのフレーム内符号化画像データを、１つの上記復号用記憶手段を用いて復号して、上記記録媒体に記録されている上記複数アングルの映像を再生することが挙げられる。また、上記復号用記憶手段を少なくとも２つ備え、上記符号化画像データのフレーム間順方向符号化画像データを、２つの上記復号用記憶手段を用いて復号して、上記記録媒体に記録されている上記複数アングルの映像を再生することが挙げられる。また、上記復号用記憶手段を少なくとも３つ備え、上記符号化画像データのフレーム間順方向符号化画像データを、３つの上記復号用記憶手段を用いて復号して、上記記録媒体に記録されている上記複数アングルの映像を逆方向再生することが挙げられる。
【０１５０】
次に、本発明に係る信号再生装置の実施の形態は、読み出し手段で読み出した符号化画像データを記憶するｍ個の記憶手段と、ｍ個の記憶手段から出力された上記符号化画像データを復号して復号画像データを生成する復号手段とを備えることで、複数の符号化画像データを復号して、瞬時に切り換えて又は同時に、複数のアングルの映像を再生することができる。
【０１５１】
そして、上記信号再生装置は、例えば、シームレスな映像の再生においても、瞬時に他のアングルの映像に切り換えることができる。
【０１５２】
さらに、本発明に係る信号再生方法の実施の形態は、上述の課題を解決するために、読み出し工程で読み出した複数アングルの内の一のアングルの符号化画像データを復号して複数アングルの復号画像データを生成する復号工程と、復号工程によって生成した複数アングルの内の一のアングルの復号画像データを記憶する復号画像データ記憶工程と、分割表示するための記憶領域が形成されて、表示画像データを記憶する表示用記憶工程と、復号画像データ記憶工程で記憶されている上記復号画像データに縮小処理を施して、この縮小処理した復号画像データを上記表示用記憶工程の有する上記記憶領域に書き込み、この上記記憶領域に書き込まれた上記復号画像データを含む表示画像データを読み出す制御工程とを有することで、符号化画像データによって構成される複数のアングルの映像を同時に再生することができる。
【０１５３】
よって、上記信号再生方法によれば、例えば、ノンシームレスであるか否かに関わらず映像を同時に提供することができ、視聴者は、見たい映像を見逃すこともなくなる。
【０１５４】
また、本発明に係る信号再生方法の実施の形態は、上述の課題を解決するために、読み出し工程で読み出した符号化画像データを記憶するｍ段の記憶工程と、ｍ段の記憶工程から出力された符号化画像データを復号して復号画像データを生成する復号工程とを有することで、複数の符号化画像データを復号して、瞬時に切り換えて又は同時に、複数のアングルの映像を再生することができる。
【０１５５】
そして、上記信号再生方法によれば、例えば、シームレスな映像の再生においても、瞬時に他のアングルの映像に切り換えることができる。
【０１５６】
なお、本発明は上述した実施の形態のみに限定されるものではなく、本発明の要旨を逸脱しない範囲において種々の変更が可能であることは勿論である。
【図面の簡単な説明】
【０１５７】
【図１】本発明の第１の実施の形態となるＤＶＤ再生装置の備えるフレームメモリを示す構成図である。
【図２】上記ＤＶＤ再生装置を示す回路図である。
【図３】上記フレームメモリにおいて、符号化画像データを復号するとき、特にＩピクチャーを復号する様子を示す構成図である。
【図４】上記フレームメモリにおいて、符号化画像データを復号するとき、特にＩピクチャー及びＰピクチャーを復号する様子を示す構成図である。
【図５】符号化画像データを復号する手順の説明に用いたモニタを示す平面図である。
【図６】逆再生用に構成した上記フレームメモリを示す構成図である。
【図７】上記逆再生用に構成したフレームメモリにおいて、符号化画像データを復号するとき、特にＩピクチャー及びＢピクチャーを復号する様子を示す構成図である。
【図８】本発明の第２の実施の形態となるＤＶＤ再生装置を示す回路図である。
【図９】上記第２の実施の形態となるＤＶＤ再生装置の要部を変更した場合を示す回路図である。
【図１０】本発明の第３の実施の形態となるＤＶＤ再生装置の要部構成を示す回路図である。
【図１１】本発明の第４の実施の形態となるＤＶＤ再生装置の要部構成を示す回路図である。
【図１２】複数のアングルの画像が表示されているモニタを示す平面図である。
【図１３】複数のアングルの画像が他の表示の仕方で表示されているモニタを示す平面図である。
【図１４】上記第１乃至第４の実施の形態となるＤＶＤ再生装置によって再生されるＤＶＤを示すデータフォーマットである。
【図１５】上記ＤＶＤに記録されているＧＯＰを示すデータフォーマットである。
【符号の説明】
【０１５８】
１  信号再生装置、２  ピックアップ、３  ＲＦ回路、４  データデコーダ、５  デマルチプレクサ、１４  フレームメモリ、１４ａ  表示用記憶領域、１４ｂ  第１の復号用記憶領域、１４ｃ  第２の復号用記憶領域、１４ｄ  第３の復号用記憶領域、２１  トラックバッファ、２２  第１のビデオデコーダ、２３第２のビデオデコーダ、２４  切り換えスイッチ、２５  切り換えスイッチ、２６  ビデオデコーダ、２７  混合回路、２８  スイッチ、２９  スイッチ
【図１】
0004301250.tif 000002
【図２】
0004301250.tif 000003
【図３】
0004301250.tif 000004
【図４】
0004301250.tif 000005
【図５】
0004301250.tif 000006
【図６】
0004301250.tif 000007
【図７】
0004301250.tif 000008
【図８】
0004301250.tif 000009
【図９】
0004301250.tif 000010
【図１０】
0004301250.tif 000011
【図１１】
0004301250.tif 000012
【図１２】
0004301250.tif 000013
【図１３】
0004301250.tif 000014
【図１４】
0004301250.tif 000015
【図１５】
0004301250.tif 000016